(57)【要約】【課題】室内全体の照明電力の省エネを向上できる照明システムを提供する。【解決手段】本発明に係る照明システム１は、天井面５１に配設された照明器具２と、机８の上面の所定の照射範囲に照明光を照射するためのタスク灯３と、前記照射範囲に対応する範囲内の人の有無を検出するための人感センサ４と、前記照明器具２及び前記タスク灯３に、夫々の調光を制御するための制御信号の伝送が可能であり、人感センサ４の検出結果に基づいて、前記照明器具２及び前記タスク灯３の調光を制御する制御部としてのセンタ装置５と、を有している。【選択図】図１
2010146923.tif 000002
【特許請求の範囲】
【請求項１】
天井面に配設される照明器具と；
机の上面の所定の照射範囲に照明光を照射するためのタスク灯と；
前記照射範囲に対応する範囲内の人の有無を検出する人感センサと；
前記照明器具及び前記タスク灯に、夫々の調光を制御するための制御信号の伝送が可能であり、前記人感センサの検出結果に基づいて、前記照明器具及び前記タスク灯の調光を制御する制御部と；
を具備したことを特徴とする照明システム。
【請求項２】
前記人感センサの出力信号は、前記制御部に無線伝送されることを特徴とする請求項１に記載の照明システム。
【請求項３】
前記タスク灯は、床下配線によって前記制御部に接続されることを特徴とする請求項１または２に記載の照明システム。
【請求項４】
前記照明器具は、複数配設され、
前記タスク灯及び前記人感センサは、夫々対応させて複数設けられ、
前記制御部は、予め設定されたグループの人感センサの内、人を検出した人感センサ数に応じて、この人を検出した人感センサに対応した前記タスク灯を照明する領域に対応する前記照明器具の明るさを変更するように調光制御することを特徴とする請求項１から請求項３の何れか１項に記載の照明システム。
【発明の詳細な説明】
【技術分野】
【０００１】
本発明は、人感センサの検出結果に基づいて、照明器具と、タスク灯との調光制御が可能な制御部を有する照明システムに関する。
【背景技術】
【０００２】
従来より、各種作業を行う机の上面に対し所定の照射範囲内で照明光を照射するタスク灯を各机毎に設け、作業時に各作業者が必要に応じてそのタスク灯を点灯させることができる照明システムが広く普及している。
【０００３】
このような照明システムには、タスク灯の消し忘れを防止して省エネを図るという観点から、人感センサをタスク灯近傍に設け、この人感センサで検知した場合にのみ点灯し、又は、タイマで設定した時間だけ点灯するようにしたものがある。
【０００４】
ところが、このような照明システムは、机での作業を行わない人が机の近くを通り過ぎたり、机の近傍に人が集まった場合等に人感センサに検知されてタスク灯が点灯する場合があり、省エネという目的に反する場合もある。
【０００５】
そこで、作業者が点灯させたい場合のみタスク灯を点灯させることができ、且つ、タスク灯の消し忘れを確実に防止できることを目的として、例えば特許文献１に記載の照明装置が提案されている。
【０００６】
この特許文献１には、机の上面を照射するタスク灯と、各机毎に設けられ、作業者が携帯するＩＤカードを検知するカードリーダと、このカードリーダからのＩＤカードのセットの有無を示す検知信号に基づき、タスク灯を点灯又は消灯させる制御手段とを有する照明装置に関する技術が開示されている。
【特許文献１】特開２００４−２６５６４８号公報
【発明の開示】
【発明が解決しようとする課題】
【０００７】
一般に、タスク灯が設けられた机は、建物内の室内に配置され、この室内の例えば天井には複数の照明器具が配設されている。これら複数の照明器具は、通常、センタ装置（中央処理装置ともいう）によって調光が制御されるようになっている。
【０００８】
このような複数の照明器具及びセンタ装置を有する照明システムは、前記特許文献１に記載の照明装置とは別々の構成で設けられている。このため、これらの照明装置は、夫々の調光が別々に制御されており、また、作業者による操作によって夫々の光量を必要に応じて個々に低くすることにより、全体の照明電力を低減するようにしていた。
【０００９】
しかしながら、このような従来技術では、前記特許文献１に記載の照明装置を用いたとしても、この照明装置のタスク灯の調光制御に関連づけて、前記複数の照明器具の調光制御を行うことができないため、室内全体の照明による消費電力の省エネルギー化を図ることができないといった問題点があった。
【００１０】
そこで、本発明は前記問題点に鑑みてなされたもので、室内全体の照明電力の省エネルギー化を図ることができる照明システムを提供することを目的とする。
【課題を解決するための手段】
【００１１】
本発明の請求項１に係る照明システムは、天井面に配設される照明器具と；  机の上面の所定の照射範囲に照明光を照射するためのタスク灯と；前記照射範囲に対応する範囲内の人の有無を検出する人感センサと；前記照明器具及び前記タスク灯に、調光を制御するための制御信号の伝送が可能であり、前記人感センサの検出結果に基づいて、前記照明器具及び前記タスク灯の調光を制御する制御部と；を具備している。
【００１２】
請求項１において、タスク灯は、机、又はその机を包囲するパーテーションなどに設置され、照明光を照射する、例えばランプ又はＬＥＤで構成された照明部を有している。このタスク灯は、各机毎に設けられて設置しても良い。
【００１３】
また、タスク灯の調光制御は、通常、点灯又は消灯となるように制御されるが、照度の変更制御が可能であっても良い。
【００１４】
人感センサは、前記照明範囲に対応する範囲内の人の有無を検出できる構成であれば、どのような構成であっても良い。例えば、赤外線を照射してその反射結果を用いて人の有無を検出する赤外線方式の人感センサであってもよいし、人体から発する赤外線の動きを検出する構成であってもよい。
【００１５】
制御部は、例えば中央処理装置としてのセンタ装置であり、照明器具及びタスク灯の調光制御を行うＣＰＵ等の制御部を有している。
【００１６】
また、室内の照明電力の省エネルギー化を図るための照明器具の調光制御は、例えば、人感センサの検出結果が人有りと判断した場合、全点灯状態から調光状態へ制御する。このとき、机上面照度は例えば７００ルクスから３５０ルクスに落とすように制御してもよい。勿論、照明器具の明るさは規格内で設定されるが、７００ルクス及び３５０ルクスに限定されることはなく、適宜変更設定が可能である。  
人感センサの検出結果は例えば有線または無線等の伝送手段によって制御部に伝送してもよい。
【００１７】
本発明の請求項２に係る照明システムは、請求項１に記載の照明システムにおいて、前記人感センサの出力信号は、前記制御部に無線伝送されることを特徴とする。
【００１８】
無線伝送の伝送媒体としては、例えば赤外線、無線等の無線通信手段を用いることができる。
【００１９】
本発明の請求項３に係る照明システムは、請求項１または２に記載の照明システムにおいて、前記タスク灯は、床下配線によって前記制御部に接続されることを特徴とする。
【００２０】
本発明の請求項４に係る照明システムは、請求項１から請求項３の何れか１項に記載の照明システムにおいて、前記照明器具は複数配設され、前記タスク灯及び前記人感センサは夫々対応させて複数設けられ、前記制御部は、予め設定されたグループの人感センサの内、人を検出した人感センサ数に応じて、この人を検出した人感センサに対応した前記タスク灯を照明する領域に対応する前記照明器具の明るさを変更するように調光制御することを特徴とする。
【００２１】
タスク灯と人感センサは、例えば夫々１：１で対応させてもよいし、人感センサがタスク灯に取り付けられた構成でもよい。また、１つの人感センサを複数のタスク灯毎にグループ化してもよい。勿論、１つのタスク灯と複数の人感センサとをグループ化しても良い。
【発明の効果】
【００２２】
請求項１の本発明によれば、室内全体の照明電力の省エネルギー化を図ることができる照明システムを提供することが可能となる。
【００２３】
請求項２の発明によれば、請求項１の発明と同様の効果を得る他に、前記人感センサの出力信号は、前記制御部に無線伝送されるので、煩わしい配線を行わなくても、照明器具の調光制御が可能となる。
【００２４】
請求項３の発明によれば、請求項１または２の発明と同様の効果を得る他に、前記タスク灯は、床下配線によって前記制御部に接続されることより、従来、机上でタスク灯の調光制御を行うのに必要な操作手段やカードリーダ及び制御手段等を机上に設置しなくても、制御部によってタスク灯の調光制御が行うことができ、また、室内のスペースを有効利用することも可能である。
【００２５】
請求項４の本発明によれば、さらに、室内の照明電力の省エネルギー効果を向上できるといった効果を得る。
【発明を実施するための最良の形態】
【００２６】
以下、図面を参照して本発明の実施の形態を説明する。  
（第１の実施の形態）  
図１から図３は本発明の照明システムの第１の実施の形態に係り、図１は室内に配設された照明システム全体の概略構成を示す全体構成図、図２は図１に示す照明システムの電気的な構成を示すブロック図、図３は本実施の形態の照明システムの作用を説明するためのフローチャートである。
【００２７】
図１に示すように、本実施の形態に係る照明システム１は、複数の照明器具２（２ａ、２ｂ、２ｃ…）と、複数のタスク灯３（３ａ、３ｂ…）と、複数の人感センサ４（４ａ、４ｂ…）と、制御部を構成するセンタ装置５とを有して構成されている。
【００２８】
照明器具２は、複数の照明器具２ａ、２ｂ、２ｃ…を有して構成される。そして、これら複数の照明器具２ａ、２ｂ、２ｃ…は、室内５０の例えば天井面５１に配設される。
【００２９】
また、これら複数の照明器具２ａ、２ｂ、２ｃ…は、図１及び図２に示すように、伝送線６を介してセンタ装置５に、調光用の制御信号を受信できるように接続されている。  
尚、複数の照明器具２ａ、２ｂ、２ｃ…は、天井面５１の他にも、壁等に配設しても良く、室内５０全体を照明する照明器具として配設されたものであれば良い。
【００３０】
また、これら複数の照明器具２ａ、２ｂ、２ｃ…は、図２に示すように、夫々交流電源１０からの電力が供給されており、各照明器具２ａ、２ｂ、２ｃ…の調光は、センタ装置５から伝送される制御信号によって制御される。
【００３１】
室内５０には、作業用の机８が複数配設されている。そして、これら複数の各机８には、それぞれタスク灯３（３ａ、３ｂ…）が設置されている。  
タスク灯３は、机８の上面に所定の照射範囲で照明光を照射するものである。尚、タスク灯３は、机８に設置するタイプである場合には、一端が机８に固定されたアーム３Ａと、このアーム３Ａの他端に取り付けられた照明部３Ｂとを有して構成され、この照明部３Ｂは、照明光を照射する図示しない光源を有して構成されている。
【００３２】
勿論、タスク灯３は、机８に設置するタイプに限定されるものではなく、例えば机８を囲む図示しないパーテーションに取り付けるタイプのものであっても良い。また、照明部３Ｂの光源は、通常のランプ、又はＬＥＤ等を用いて構成されている。
【００３３】
このような構成のタスク灯３が、配設された机８毎に設けられており、これら複数のタスク灯３ａ、３ｂ…は、夫々専用の接続線７ａ及び伝送線７を介して、センタ装置５に調光用の制御信号を受信できるように接続されている。
【００３４】
また、これら複数のタスク灯３ａ、３ｂ、３ｃ…は、センタ装置５から伝送される制御信号によって点灯／消灯が制御される。尚、光源がＬＥＤである場合には、タスク灯３はセンタ装置５からの制御信号によって調光が制御されることも可能である。
【００３５】
本実施の形態では、タスク灯３には、人感センサ４が取り付けられている。この人感センサ４は、タスク灯３の照射範囲に対応する範囲内の人の有無を検出し、検出結果を出力する。
【００３６】
また、複数の人感センサ４は、複数のタスク灯３ａ、３ｂ…に夫々取り付けられている。これら複数の人感センサ４ａ、４ｂ…は、夫々専用の接続線７ｂ及び伝送７を介してセンタ装置５に接続されている。従って、各人感センサ４の検出結果の出力信号は、夫々の接続線７ｂ及び伝送線７を介してセンタ装置５に供給される。
【００３７】
尚、人感センサ４は、タスク灯３に取り付けなくても良く、例えばタスク灯３の照明範囲に対応する範囲内の人の有無を検出できれば、机８の周囲、又は図示しないパーテーション、又はタスク灯３の上部の天井面５１（図１及び図２参照）に設けても良い。
【００３８】
また、各人感センサ４ａ、４ｂ…は、有線の伝送媒体である専用の接続線７ｂ及び伝送線７を介してセンタ装置５に接続されているが、有線の伝送媒体に限定されることはなく、人感センサ４の出力信号（検出結果）をセンタ装置５に無線伝送しても良い。
【００３９】
例えば、夫々の人感センサ４ａ、４ｂ…から無線によって送信された検出結果を受信可能なセンサ受信部１１（図１及び図２参照）を例えば天井面５１に設け、このセンサ受信部１１によって受信した検出結果を伝送線６又は無線の伝送媒体によってセンタ装置５に供給するように構成しても良い。
【００４０】
有線の伝送媒体を用いてタスク灯３及び人感センサ４と、センタ装置５とを接続した場合、本実施の形態では、有線である接続線７ａ、７ｂと、これら接続線７ａ、７ｂが接続される伝送線７は、図１に示すように、床５２の下に配線されている。  
即ち、本実施の形態の照明システム１では、各タスク灯３及び各人感センサ４は、伝送線７が床５２の下に配線される床下配線によって、前記センタ装置５と接続されている。即ち、床下配線を実施することにより、従来、机上でタスク灯の調光制御を行うのに必要な操作手段やカードリーダ及び制御手段等を机上に設置しなくても、センタ装置５によってタスク灯３の調光制御が行うことができ、また、室内５０のスペースを有効利用することも可能である。
【００４１】
センタ装置５には、図１及び図２に示すように、伝送線６と伝送線７とが電気的に接続されている。  
伝送線６は、例えば壁から天井にかけて配設されている。この伝送線６には、前記したように天井面５１において複数の照明器具２ａ、２ｂ、２ｃ…が調光用の制御信号を受信できるように接続されている。
【００４２】
そして、もう一方の伝送線７は、前記したように床下に配設されている。この伝送線７には、夫々の接続線７ａ、７ｂを介して複数のタスク灯３及び複数の人感センサ４が調光用の制御信号を受信できるように接続されている。
【００４３】
センタ装置５は、制御部を構成するもので、人感センサ４の検出結果に基づいて、複数の照明器具２及び複数のタスク灯３の調光を制御する。  
また、センタ装置５は、図２に示すように、本システム全体を制御する制御部５Ａと、本システムの調光制御を行うのに必要なテーブル等を記憶したメモリ５Ｂとを有している。
【００４４】
本実施の形態では、制御部５Ａによる照明器具２及びタスク灯３の調光制御は、タスク灯３と人感センサ４とが１：１となる対応関係に基づいて行われている。
【００４５】
そのため、メモリ５Ｂには、例えば、タスク灯３及び人感センサ４の固有のアドレスと、このタスク灯３及び人感センサ４に対応する所定領域の照明器具２のアドレスとの関係を示すテーブルが格納されている。
【００４６】
また、メモリ５Ｂには、人感センサ４の検出結果と、この人感センサ４が取り付けられタスク灯３を照明する所定領域に対応する照明器具２の照度との関係を示すテーブルが格納されている。  
尚、所定領域とは、天井面５１に配設された全ての照明器具２の内、タスク灯３の設置位置に応じて予め設定されたグループ毎に対応する照明器具２に対応する領域を示している。また、所定領域は、天井面５１に配設された全ての照明器具２に対応する領域であっても良いが、省エネ効果を考慮すると、照明器具２のグループに対応する領域とすることが望ましい。
【００４７】
従って、制御部５Ａは、人感センサ４の検出結果に基づいて、これらのテーブルを参照しながら、複数のタスク灯３ａ、３ｂ、３ｃ…及び複数の照明器具２ａ、２ｂ、２ｃ…の調光制御を行う。
【００４８】
例えば、制御部５Ａは、１つの人感センサ４からの検出結果が人有りであるものとすると、通常、全灯状態である例えば７００ルクスの明るさで点灯している全ての照明器具２、或いは対応するグループの照明器具２の明るさを、例えば３５０ルクスに下げるように省エネ効果のある調光制御を行うと同時に、対応するタスク灯３を点灯するように制御する。
【００４９】
一方、制御部５Ａは、１つの人感センサ４からの検出結果が人有りの状態から人無しに変わったものであるとすると、例えば３５０ルクスの明るさで点灯している全ての照明器具２、或いは対応するグループの照明器具２を消灯するように調光制御を行うと同時に、対応するタスク灯３についても消灯するように制御する。  
この場合、例えば、人が残っている場合には、制御部５Ａは、全ての照明器具２、或いは対応するグループの照明器具２を消灯しないで、例えば３５０ルクスの明るさをそのまま継続したり、或いは、タイマ機能を用いて所定時時間経過後に消灯したり制御しても良い。
【００５０】
尚、タスク灯３は、制御部５Ａによって点灯又は消灯の調光制御を行うように説明したが、これに限定されるものではなく、例えば人感センサ４の検出結果に基づいて、照度を明るくしたり、又は暗くしたりするように照度を変更する調光制御を行っても良い。  
このような制御を行うことによって、室内５０全体の照明電力の省エネ効果を向上できる。  
尚、照明器具２の照度については、通常の点灯時（全灯状態）の明るさが７００ルクス、また、省エネ効果のある明るさが３５０ルクスとなるように調光制御したがこれらの照度に限定されるものではなく、適宜テーブル内の照明器具の照度を変更し設定することも可能である。
【００５１】
また、本実施の形態では、人を検知した場合、省エネ効果のある明るさが例えば３５０ルクスとなるように照明器具２を調光制御するように説明したが、この３５０ルクスの明るさは、作業者が机８上で作業できる必要最低限の明るさを確保したものであり、決して暗くも無く、また、十分に室内５０の雰囲気を良好にできるものとして望ましい明るさとなっている。
【００５２】
次に、本実施の形態の作用を、図３に示すフローチャートを用いて説明する。  
いま、図１及び図２に示す照明システム１の電源を投入し、センタ装置５の制御部５Ａを起動させたものとする。
【００５３】
ここで、室内５０の天井面５１に配設された各照明器具２ａ、２ｂ、２ｃ…は、作業者の操作に基づきセンタ装置５の調光制御によって点灯しているものとする。
【００５４】
制御部５Ａは、電源が投入されると、図示しないメモリから図３に示すプログラムを読み出して実行する。
【００５５】
すると、制御部５Ａは、ステップＳ１の判断処理によって、人感センサ４からの検出信号を受信したか否かの判断を行い、受信したと判断した場合には処理をステップＳ２に移行し、受信してないと判断した場合には再びステップＳ１の判断処理を行う。
【００５６】
ステップＳ２の処理では、制御部５Ａは、受信した検出信号を判別（例えばＨＩＧＨレベルの信号であれば人有りと判別し、ＬＯＷレベルの信号であれば人無しと判別する）し、且つ受信した検出信号の人感センサ４のアドレスを認識すると同時に、認識したアドレスとメモリ５Ｂに格納しているテーブルとを用いて、対応するアドレスの照明器具２と、この照明器具２を調光制御するための照度（照度データ）とを取得する。
【００５７】
そして、制御部５Ａは、認識した対応の照明器具２を、取得したデータ、即ち、照度となるように調光制御を行うとともに、認識したタスク灯３を点灯、又は消灯するように調光制御する。  
具体的には、前記したように、制御部５Ａは、１つの人感センサ４からの検出結果が人有りであるものとすると、通常、全灯状態である例えば７００ルクスの明るさで点灯している全ての照明器具２、或いは対応するグループの照明器具２の明るさを、例えば３５０ルクスに下げるように省エネ効果のある調光制御を行うと同時に、対応するタスク灯３を点灯するように制御する。
【００５８】
一方、制御部５Ａは、１つの人感センサ４からの検出結果が人有りの状態から人無しに変わったものであるとすると、例えば３５０ルクスの明るさで点灯している全ての照明器具２、或いは対応するグループの照明器具２を、上述したように消灯するように調光制御を行うと同時に、対応するタスク灯３についても消灯するように制御する。
【００５９】
尚、照明器具２の調光制御については、天井面５１全体の照明器具２ａ、２ｂ、２ｃ…を制御しても良いし、タスク灯３の設置位置に対応するグループ毎の照明器具２ａ、２ｂ等を制御しても良い。
【００６０】
また、照明器具２の調光制御については、メモリ５Ｂに格納されたテープルにより取得する照度データに基づき行われるが、照明器具２の近傍又はタスク灯３近傍に照度センサを設け、この照度センサにより得られる照度検出結果を用いて的確な照明器具２の明るさを確保するように調光制御を行っても良い。
【００６１】
従って、第１の実施の形態によれば、簡単な構成で、しかも、新たな構成を加えることもなく、室内全体の照明電力の省エネルギー化を図ることができる照明システム１を実現できる。
【００６２】
尚、本実施の形態では、タスク灯３と人感センサとの対応は１：１である関係を満足する構成について説明したが、これに限定されるものではなく、例えば、複数のタスク灯３と、これらの複数のタスク灯３の近傍に設置された１つの人感センサ４とで構成しても良い。
【００６３】
また、タスク灯３は、複数の照明器具２ａ、２ｂ、２ｃ…に対して少なくとも１つ設置すれば、本実施の形態で説明したように同様の作用・効果が得られるが、タスク灯３の数については特に限定されるものではない。
【００６４】
（第２の実施の形態）
図４は本発明の照明システムの第２の実施の形態に係り、グループ化した人感センサとそれに対応して調光制御する照明器具との関係を示す説明図である。  
尚、図４は第１の実施の形態の装置と同様の構成要素については同一の符号を付して説明を省略し、異なる部分のみを説明する。
【００６５】
本実施の形態の照明システム１は、複数の人感センサ４ａ、４ｂ…を予めグルーブ化し、このグループの人感センサの内、検出結果（検出信号）を出力した人感センサ数を認識すると同時に、この認識した人感センサ数に応じて、対応する領域に対応する照明器具２の明るさを変更するように調光制御する。        
具体的には、センタ装置５のメモリ５Ｂには、さらに、予め設定されたグループ毎の人感センサ４ａ、４ｂ、４ｃ…のアドレス、及びこのグループ内の、検出信号を出力した人感センサ数と、このグループの人感センサの設置位置に対応する照明器具のアドレス、及びこのグループ毎の人感センサ数に応じた照明器具の照度との関係を示すテーブルが格納されている。
【００６６】
具体的には、図４に示すように、２つの人感センサ４ａ、４ｂをひとつのグループとして設定したとする。  
この場合、制御部５Ａは、例えば人感センサ４ａのみ人有りといった検出信号を出力した場合、前記テーブルを用いて、このひとつの人感センサ数に対応する領域２０の照明器具２ａ〜２ｆの照度を、例えば３５０ルクスとなるように調光制御する。同時に、制御部５Ａは、人感センサ４ａに対応するタスク灯３ａを点灯するように制御する。
【００６７】
また、制御部５Ａは、例えば人感センサ４ａ、４ｂともに人有りといった検出信号を出力した場合、前記テーブルを用いて、これら２つの人感センサ数に対応する領域２０の照明器具２ａ〜２ｆの照度を、例えば３５０ルクスより多少明るくなるように調光制御する。同時に、制御部５Ａは、人感センサ４ａ、４ｂに対応するタスク灯３ａ、３ｂを点灯するように制御する。
【００６８】
尚、人感センサ数が１つである場合は、人感センサ数が２つのである場合の照明器具２の照度よりも暗くするように制御することが望ましいが、例えば３５０ルクスとする制御例は一例であって、机８で作業する作業者が作業しやすい明るさに調光制御すれば良い。  
勿論、制御部５１は、人感センサ数に応じて、照明器具２の光量を可変する制御が可能である。
【００６９】
また、制御部５Ａは、例えば人感センサ４ａ、４ｂともに人無しといった検出信号を出力した場合、前記テーブルを用いて、これら２つの人感センサ数に対応する領域２０の照明器具２ａ〜２ｆを、上述の如く消灯するように制御すると同時に、人感センサ４ａ、４ｂに対応するタスク灯３ａ、３ｂを消灯するように制御する。
【００７０】
尚、明るさを変更制御する照明器具２は、例えば人感センサ４のグループに対応した領域２０の照明器具２ａ〜２ｆについて説明したが、勿論、天井面５１全体に配設された全ての照明器具２ａ、２ｂ、２ｃ…に対して調光制御を行っても良い。
【００７１】
その他の構成、及び作用については、前記第１の実施の形態と同様である。
【００７２】
従って、第２の実施の形態によれば、グループ内の人感センサ数に応じて、対応する照明器具２の照度を変更するように制御するので、第１の実施の形態によりも室内５０全体の照明電力の省エネ効果を向上できるといった効果を得る。
【００７３】
以上の実施の形態に記載した発明は、その実施の形態に限ることなく、その他、実施段階ではその要旨を逸脱しない範囲で種々の変形を実施し得ることが可能である。さらに、前記実施の形態には、種々の段階の発明が含まれており、開示される複数の構成要件における適宜な組合せにより種々の発明が抽出され得る。
【００７４】
例えば、実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００７５】
【図１】本発明の照明システムの第１の実施の形態に係り、室内に配設された照明システム全体の概略構成を示す全体構成図。
【図２】図１に示す照明システムの電気的な構成を示すブロック図。
【図３】本実施の形態の照明システムの作用を説明するためのフローチャート。
【図４】本発明の照明システムの第２の実施の形態に係り、グループ化した人感センサとそれに対応して調光制御する照明器具との関係を示す説明図。
【符号の説明】
【００７６】
１…照明システム、
２…照明器具、
３…タスク灯、
３Ｂ…照明部、
４…人感センサ、
５…センタ装置、
５Ｂ…メモリ、
５Ａ…制御部、
６、７…伝送線、
７ａ、７ｂ…接続線、
８…机、
２０…  領域、
５０…室内、
５１…天井面、
５２…床。
【図１】
2010146923.tif 000003
【図２】
2010146923.tif 000004
【図３】
2010146923.tif 000005
【図４】
2010146923.tif 000006